(57)【要約】【課題】  プレキャスト版を省力且つ簡易に主桁上を引き込んで主桁に架設する。【解決手段】  主桁１上に荷揚げされたプレキャスト版２を、主桁１上に置いた滑り用受台４の上に載せる。滑り用受台４は、主桁１の上面と接する部分に滑動体としてのポリテトラフルオロエチレン（ＰＴＦＥ）板１１を有する。引込み機８から繰り出した索状物９をプレキャスト版２の固定点１０に結着する。このような状態にしてから、引込み機８により索状物９を介してプレキャスト版２を主桁１の上面を滑らせて引き込むようにする。所定位置まで引き込んだプレキャスト版２の下から滑り用受台４を撤去してから、プレキャスト版を微調整して、主桁１に接合し、架設する。【選択図】図３
2008240347.tif 000002
【特許請求の範囲】
【請求項１】
主桁上に荷揚げされたプレキャスト版を、滑り用受台を介して主桁上に支持させ、該プレキャスト版を架設すべき所定の位置の近傍に設置した引込み機を、上記滑り用受台上に支持されたプレキャスト版に連結して、該引込み機によりプレキャスト版を、主桁上を滑らせて架設すべき所定位置近くまで引き込み、次いで、該引き込まれたプレキャスト版の高さ調整を行い、架設すべき所定位置への微調整を行った後、主桁に接合させて架設を行うようにすることを特徴とするプレキャスト版の架設工法。
【請求項２】
滑り用受台は、主桁上面と接する部分に滑動性を有するものを用いるようにする請求項１記載のプレキャスト版の架設工法。
【請求項３】
主桁上面に、プレキャスト版の架設位置に合わせてスタッドジベルの一部を突設させ且つ長手方向に漏れ防止材を設置して、該主桁上に荷揚げしたプレキャスト版を主桁上の滑り用受台上に載せ、上記スタッドジベルの一部、漏れ防止材と干渉しないように引き込みを行うようにする請求項１又は２記載のプレキャスト版の架設工法。
【請求項４】
滑り用受台に、プレキャスト版の引込み方向に延びるガイドバーを備えて、主桁上面のスタッドジベルの一部にガイドバーを沿わせて引き込みを行うようにする請求項２又は３記載のプレキャスト版の架設工法。
【請求項５】
プレキャスト版の微調整を、主桁上のスタッドジベルの一部と、プレキャスト版の架設すべき所定位置近くでスタッドジベルの一部が挿入されるようにプレキャスト版に形成してある開口部とを利用して行うようにする請求項１、２、３又は４記載のプレキャスト版の架設工法。
【発明の詳細な説明】
【技術分野】
【０００１】
本発明は、橋梁の床版工事において、工場で製作したプレキャスト版を現場の主桁上に設置して行くプレキャスト版の架設工法に関するものである。
【背景技術】
【０００２】
橋梁の床版の架設には、現場において床面となる部分にコンクリートを打設して行く現場打設工法と、予め工場等で製作したプレキャスト版を現場に搬入して順次並べて設置して行くプレキャスト版の架設工法とがある。
【０００３】
後者のプレキャスト版の架設工法による場合は、建設しようとする橋梁の規模に対応させた大きさのプレキャスト版が工場で多数製作されることから、現場で主桁の架設が完了すれば、直ちにプレキャスト版の架設作業を行うことができ、橋梁の建設の工期を短縮できる利点がある。
【０００４】
上記プレキャスト版の架設工法に用いられるプレキャスト版は、建設される橋梁の幅員に合わせた寸法（たとえば、１５〜２０ｍ位）を有するが、橋梁の長手方向（前後方向）の幅寸法は、運送上の制限から狭幅（たとえば、２〜３ｍ位）のものとしてあり、プレキャスト版の架設工法を実施する場合は、このような形状を有するプレキャスト版を、現場でトラッククレーン等により主桁上に荷揚げし、主桁上の所定位置に架設するようにしている。
【０００５】
従来、上記プレキャスト版の架設工法において、トラッククレーン等にて主桁上に荷揚げされたプレキャスト版を架設するようにしたものとしては、次のようなものが提案されている。
【０００６】
図１１及び図１２（イ）（ロ）（ハ）に示すものは、プレキャスト床版架設機を用いてプレキャスト版を架設するようにしたもので、プレキャスト床版架設機ａは、門型構造体が上部の長方形の枠型フレームｂと逆Ｌ字型の４本の脚ｃとで構成され、枠型フレームｂの二つの短辺部が、それぞれ２本の角筒を並置した構造をなし、その２本の角筒にそれぞれ一方には右から、他方には左から逆Ｌ字型の脚ｃの水平部が挿入され、脚ｃの間隔が拡大・縮小可能としてあり、門型構造体が、左右２組の、前後に２台の無軌条式走行装置ｄを持つ角柱型の基台ｅに搭載されて自走可能な構成とされている。前記枠型フレームｂの下部には、その長手方向にＨ型状の２本のレールｆが配置・固定され、前記２本のレールｆに、長辺がＨ型状の２本のレールからなる長方形の枠型移動架ｇが電動スライド式吊設装置ｈを介して前記レールｆに沿って移動可能に吊設されている。
【０００７】
又、前記枠型移動架ｇの長辺をなす２本のレール間にスライド式吊設装置を介して横梁ｉが、枠型移動架ｇの長手方向に移動可能に架設され、更に、横梁ｉに、該横梁ｉに沿って移動可能な吊り下げ装置としてのチェーンブロックｊが吊設されている。又、前記枠型移動架ｇの２つの長辺がそれぞれ同一方向の前方端部には２本の支柱ｋが垂設された構成とされている。ｌとｌ´は床版、ｍはアウトリガー、ｎは回転台車である。
【０００８】
上記プレキャスト床版架設機ａにより床版ｌを架設するときは、プレキャスト床版架設機ａを、無軌条式走行装置ｄによって所定位置まで自走させた後、脚ｃの枠型フレームｂからの引き出しと脚ｃの伸長、及び支柱ｋの伸長を行わせると共に、アウトリガーｍによって図１２（イ）に示す如く既設の床版ｌ´上に固定させる。次に、床版ｌ´上に固定されたプレキャスト床版架設機ａに架設すべき床版ｌを取り込み、この床版ｌのチェーンブロックｊへの吊り下げ後、図１２（ロ）の如く、床版ｌ´上の回転台車ｎ上まで床版ｌの移送・搭載、支柱ｋの引き上げ、プレキャスト床版架設機ａの後退、回転台車ｎによる床版ｌの９０度回転、プレキャスト床版架設機ａの前進、支柱ｋの着地、回転台車ｎ上の床版ｌのチェーンブロックｊによる吊り上げから、図１２（ハ）に示すような所定位置へ床版ｌを設置する工法で行うようにしてある（たとえば、特許文献１参照）。
【０００９】
又、図１３はプレキャスト床版架設機により床版を架設する別の例を示すものである。プレキャスト版架設機ａは、図１１に示したものと同様に構成されていて、枠型フレームｂの長手方向前方に水平方向に引き出し可能な腕木ｏを１本配設して、該腕木ｏの先端に支柱ｋが垂設された構成とされている。
【００１０】
床版ｌを架設するときは、プレキャスト版架設機ａへの床版ｌの取り込み後、チェーンブロックｊをプレキャスト版架設機ａの後部へ移動して、床版ｌをチェーンブロックｊで吊り下げるようにする。次に、チェーンブロックｊを枠型移動架ｇの２本のレールに沿ってプレキャスト版架設機ａの前部へ移動させて、床版ｌの位置を微調整しながら下降させ、所定位置に床版ｌを設置するようにしてある（たとえば、特許文献２参照）。
【００１１】
更に、従来の床版架設方法として、主桁上に架設した床版上に運搬車と架設作業車を載置して走行できるようにし、架設しようとする床版を運搬した後、架設作業車に装備してある吊用ワイヤーロープで床版を吊り上げ、架設位置へ移動させて下降させるようにして順次架設して行くようにしたものもある（たとえば、特許文献３参照）。
【００１２】
【特許文献１】特開２００４−３００６８８号公報
【特許文献２】特開２００４−３００６８９号公報
【特許文献３】特開２００４−２６３４４９号公報
【発明の開示】
【発明が解決しようとする課題】
【００１３】
ところが、特許文献１、特許文献２に示すような従来のプレキャスト版の架設工法は、門型構造体やレール等を有する大掛りな構成を有する架設機を用いてプレキャスト版ｌを１枚ずつ吊って所定位置へ移し、その位置に架設するというものであり、大型の架設機を必要とするものである。
【００１４】
又、特許文献３に示されている床版の架設方法の場合は、運搬車のほかに架設作業車を使用するもので、大掛りな装置を必要とするものである。又、既設床版上を走行するものであり、主桁上を移動させるようにしたものではない。
【００１５】
そこで、本発明は、プレキャスト版の架設現場において、架設された主桁上にプレキャスト版が荷揚げされると、従来のような大型の架設機を用いることなく、簡易且つ小さい力でプレキャスト版を所定位置に架設できるようにするプレキャスト版の架設工法を提供しようとするものである。
【課題を解決するための手段】
【００１６】
本発明は、上記課題を解決するために、主桁上に荷揚げされたプレキャスト版を、滑り用受台を介して主桁上に支持させ、該プレキャスト版を架設すべき所定の位置の近傍に設置した引込み機を、上記滑り用受台上に支持されたプレキャスト版に連結して、該引込み機によりプレキャスト版を、主桁上を滑らせて架設すべき所定位置近くまで引き込み、次いで、該引き込まれたプレキャスト版の高さ調整を行い、架設すべき所定位置への微調整を行った後、主桁に接合させて架設を行うようにするプレキャスト版の架設工法とする。
【００１７】
上記架設工法において、滑り用受台は、主桁上面と接する部分に滑動性を有するものを用いるようにする。
【００１８】
又、主桁上面に、プレキャスト版の架設位置に合わせてスタッドジベルの一部を突設させ且つ長手方向に漏れ防止材を設置して、該主桁上に荷揚げしたプレキャスト版を主桁上の滑り用受台上に載せ、上記スタッドジベルの一部、漏れ防止材と干渉しないように引き込みを行うようにする。
【００１９】
上記滑り用受台に、プレキャスト版の引込み方向に延びるガイドバーを備えて、主桁上面のスタッドジベルの一部にガイドバーを沿わせて引き込みを行うようにすることもできる。
【００２０】
更に、プレキャスト版の微調整を、主桁上のスタッドジベルの一部と、プレキャスト版の架設すべき所定位置近くでスタッドジベルの一部が挿入されるようにプレキャスト版に形成してある開口部とを利用して行うようにする。
【発明の効果】
【００２１】
本発明のプレキャスト版の架設工法によれば、次のような優れた効果を奏し得る。 
（１）主桁上に荷揚げされたプレキャスト版を、滑り用受台を介して主桁上に支持させ、該プレキャスト版を架設すべき所定の位置の近傍に設置した引込み機を、上記滑り用受台上に支持されたプレキャスト版に連結して、該引込み機によりプレキャスト版を、主桁上を滑らせて架設すべき所定位置近くまで引き込み、次いで、該引き込まれたプレキャスト版の高さ調整を行い、架設すべき所定位置への微調整を行った後、主桁に接合させて架設を行うようにする構成としてあるので、引込み機を用いて主桁上を滑らせてプレキャスト版を架設すべき所定位置近くまで小さい力で引き込むことができ、大型の架設機を用いることなく省力且つ簡易にプレキャスト版を架設することができる。 
（２）プレキャスト版を主桁上で引き込むので、主桁上へプレキャスト版を荷揚げする場所が１つであっても、主桁上の離れた架設位置まででもプレキャスト版を容易に引き込むことができて順次架設して行くことができる。 
（３）プレキャスト版の引き込みに、滑り用受台を用い、この滑り用受台は主桁上面と接する部分に滑動体を用いているので、大型のプレキャスト版を引き込む場合でも引込み機の能力で容易に引き込むことが可能である。 
（４）主桁上面に、プレキャスト版の架設位置に合わせてスタッドジベルの一部を突設させ且つ長手方向に漏れ防止材を設置して、該主桁上に荷揚げしたプレキャスト版を主桁上の滑り用受台上に載せ、上記スタッドジベルの一部、漏れ防止材と干渉しないように引き込みを行うようにすることにより、スタッドジベルの一部を予め主桁上面に突設させておくことができ、プレキャスト版の引き込み時はスタッドジベルの一部に干渉しないように滑り用受台の高さを調整するだけでよく、主桁上に突出物があっても円滑にプレキャスト版の引き込みを行うことが可能となる。 
（５）滑り用受台に、プレキャスト版の引込み方向に延びるガイドバーを備えて、主桁上面のスタッドジベルの一部にガイドバーを沿わせて引き込みを行わせることにより、引き込み中のプレキャスト版をスタッドジベルの一部をガイドとして移動させることができて、該プレキャスト版の姿勢を正しく維持した状態で引き込んで架設することができる。 
（６）プレキャスト版の微調整を、主桁上のスタッドジベルの一部と、プレキャスト版の架設すべき所定位置近くでスタッドジベルの一部が挿入されるようにプレキャスト版に形成してある開口部とを利用して行うようにすることにより、油圧ジャッキの使用ができて、滑り用受台の撤去後でもプレキャスト版を架設位置へ微調整することができる。
【発明を実施するための最良の形態】
【００２２】
以下、本発明を実施するための最良の形態を図面を参照して説明する。
【００２３】
図１乃至図１０は本発明の実施の一形態を示すもので、本発明のプレキャスト版の架設工法は、基本的には、図２にプレキャスト版の一例を示す如く、予め工場で製作された橋梁建設用の主桁１を現場で架設し終えた後、該架設された主桁１の上面に、プレキャスト版２との固定のため充填されるモルタルが漏れないようにするために漏れ防止材としてソールスポンジ３を貼り付けておくソールスポンジ設置を行い（ソールスポンジ設置工程（Ｉ））、次いで、ソールスポンジ３を貼り付けた主桁１上に荷揚げされたプレキャスト版２を架設すべき所定の位置近くまで引き込んで移動（搬送）させ（プレキャスト版の引込み工程(II)）、次に、主桁上の架設すべき所定位置近くまで引き込まれたプレキャスト版２を設置すべき位置へ微調整する前に、滑り用受台４を撤去する。しかる後、滑り用受台４を底面から撤去したプレキャスト版２を微調整して設置位置に位置決めするようにする（プレキャスト版の微調整工程(III)）。微調整して位置が決められたプレキャスト版は主桁や既設プレキャスト版に固定することによって架設を完了する（設置工程(IV)）。
【００２４】
以下、詳述する。
【００２５】
橋梁の橋面としての主桁（鋼材桁）上に架設する床版としては、主として鉄筋コンクリート床版（ＲＣ床版）、プレストレスコンクリート床版（ＰＣ床版）、合成床版があるが、本発明のプレキャスト版の架設工法で対象とするプレキャスト版は、上記のこれらのすべてを含むものとし、図では一例としてＲＣ床版、ＰＣ床版の場合を示している。
【００２６】
本発明のプレキャスト版の架設工法で扱うプレキャスト版２は、前記したように、予め工場にて建設すべき橋梁の幅員に合わせた左右方向の長さ寸法と、運送上の制限から狭幅とした前後方向の幅寸法を有するものとして、図２に示す如き平面形状として製作され、トラッククレーン等で吊り上下されるように、図示しない吊りピースを固定するか、あるいは、前後左右の４個所に、係止具取付用の孔５が上下方向（厚み方向）に穿設してある。更に、上記プレキャスト版２には、該プレキャスト版２を架設しようとする主桁１の数（本実施の形態の場合は２本の場合を示す）に合わせて各主桁１の上面に位置する部分に、後述する複数のスタッドジベル６を挿入して該スタッドジベル６を介して主桁１とプレキャスト版２とをモルタルで固定するようにするための開口部７が、長孔状として前後方向に複数個所（図では２個所の場合を示す）ずつ設けた構成としてある。
【００２７】
一方、図示のような上フランジを有する主桁１も、予め工場で製作されて現場に搬入され、現場で架設されるが、工場での製作時に、主桁１の上面には、上記プレキャスト版２の架設位置における該プレキャスト版２の上記開口部７に対応させた位置に、前記したスタッドジベル６の一部を構成するねじ付きスタッド６ａが、上向きに突設してあり、プレキャスト版２を主桁１上に架設するとき、主桁１上面のねじ付きスタッド６ａがプレキャスト版２の各開口部７の内側に位置することができるようにしてある。なお、スタッドジベル６は、図９に示す如く、ねじ付きスタッド６ａの雄ねじ部に螺合させるナット６ｂと、該ナット６ｂに下端を螺合させて立てるようにする頭付きボルト６ｃとからなる構成としてある。
【００２８】
本発明のプレキャスト版の架設工法における前記ソールスポンジ設置工程Ｉは、最終工程となる設置工程IVでプレキャスト版２を主桁１に接合するときに、プレキャスト版２に各開口部７から該プレキャスト版２と主桁１との間に充填するモルタルが漏れないようにソールスポンジ３を貼り付けて設置するものであり、図２及び図３（イ）に示す如く、主桁１の上フランジ１ａ上面の左右両側縁部に、主桁１の長手方向に沿わせて左右対称的に所要の高さ及び幅寸法を有する断面形状が矩形のソールスポンジ３を貼り付けて設置する。
【００２９】
上記ソールスポンジ設置工程Ｉは、プレキャスト版２を主桁１上で引き込む前に行っておくようにする。
【００３０】
上記ソールスポンジ３は、主桁１上面に貼り付けるときの高さ寸法は最高で１００ｍｍ程度のものとしてあり、プレキャスト版２を架設する際に上方から押しつぶされても２０〜７０ｍｍ程度の高さが保持できるようにしてある。
【００３１】
次に、プレキャスト版の引込み工程IIは、本発明のプレキャスト版の架設工法の特徴をなすもので、図２、図３（イ）（ロ）（ハ）に示す如く、プレキャスト版２をトラッククレーン等で主桁１上に荷揚げするときに、滑り用受台４を各主桁１の上面に配置して、該各主桁１上面の各滑り用受台４上に、荷揚げされたプレキャスト版２を載置させ、最初にプレキャスト版２を架設するときは、主桁１上の所要個所に設置した引込み機８から繰り出したワイヤロープの如き索状物９の先端を、引き込みをしようとするプレキャスト版２に固定されている吊りピースか、あるいは係止具取付用の孔５に係合させた係止具を、固定点１０として、これに結着させ、引込み機８の駆動で索状物９を介して主桁１上を架設すべき所定位置の近くまで引き込む作業を行わせるようにする。
【００３２】
上記引込み機８は、各主桁１上の固定点又は既設プレキャスト版２に設置して２台用意し、１つのプレキャスト版２の長手方向両端部の固定点１０に、索状物９を、たとえば、たすき掛けとなるように配した後、各先端を結着させるようにし、２台の引込み機８を同時に作動させて１つのプレキャスト版２の引き込みを行うようにする。
【００３３】
上記プレキャスト版２の引き込みに用いる滑り用受台４は、図２、図３（イ）（ロ）（ハ）に一例を示す如く、プレキャスト版２を架設すべき所定位置の近くまで引き込むときに小さい力で引き込むことができるようにすると共に、主桁１の上面に突設されているねじ付きスタッド６ａや高さがソールスポンジ３にプレキャスト版２が干渉することがないようにプレキャスト版２を持ち上げて引き込めるようにするためのもので、平面形状が円形又は四角形状（図では円形のものを示す）をなす滑動体としてのポリテトラフルオロエチレン（ＰＴＦＥ）板１１と、プレキャスト版２の引込み時に主桁１上面のねじ付きスタッド６ａに沿わせるようにする所要長さ（主桁１）の長手方向に隣接する少なくとも２組のねじ付きスタッド６ａに同時に沿わされている状態が実現できる程度の長さで、図２、図３（イ）では架設されるプレキャスト版２の引込み方向の幅寸法よりやや長いものとしてあるガイドバー１２と、滑り用受台４の高さを任意に調整できるようにするための硬質ゴム材製の高さ調整用部材１３とからなり、１つのガイドバー１２に２個のポリテトラフルオロエチレン（ＰＴＦＥ）板１１と２個の高さ調整用部材１３とを重ね合わせて１つのブロックとするようにしてある。なお、上記ガイドバー１２は、鋼材又は木材製としてあり且つ引込み方向側の端部が尖るようなガイド面１２ａとしてある。
【００３４】
上記ガイドバー１２は、プレキャスト版２の引込み時に主桁１上のねじ付きスタッド６ａに沿ってガイドされるように、ねじ付きスタッド６ａの高さに合わせた高さ位置となるようにしてあり、ポリテトラフルオロエチレン（ＰＴＦＥ）板１１上に直接載せたときの滑動を防止してガイドバー１２の向きを固定するように、ポリテトラフルオロエチレン（ＰＴＦＥ）板１１とガイドバー１２との間に摩擦係数の高いゴム材１４を挟持させて重ね合わせるようにするか、又は接着剤でポリテトラフルオロエチレン（ＰＴＦＥ）板１１とガイドバー１２とを接着させて一体物とするようにする。
【００３５】
又、上記高さ調整用部材１３は、滑り用受台４全体の高さを調整するためのもので、任意の厚さのものと交換して使用できるようにしてある。
【００３６】
なお、上記滑り用受台４は、図２に一例を示す如く、２本の主桁１上の各ねじ付きスタッド６ａの外側を通るような配置とするが、各主桁１上の各ねじ付きスタッド６ａの内側を通るような配置としてプレキャスト版２を載せるようにしてもよい。
【００３７】
又、前記プレキャスト版の微調整工程IIIは、図６乃至図８に示す如く、プレキャスト版２の架設すべき所定位置近くまで引き込まれたプレキャスト版２を、該プレキャスト版２の前後左右両端部に取り付けられている高さ調整ボルト１５でプレキャスト版２を僅かに持ち上げて滑り用受台４を撤去した後、上記高さ調整ボルト１５によりプレキャスト版２を主桁１上に降ろしてから油圧ジャッキ１６とねじ付きスタッド６ａを用いてプレキャスト版２を架設位置に移動させる作業を行わせるようにする。図６に示す如く、既設のプレキャスト版２に隣接させて架設するようなときは、該既設のプレキャスト版２へ微調整して移動させるようにして、既設のプレキャスト版２の端面との間に介在させられる広幅の止水材１７を押しつぶし、止水させるようにする。
【００３８】
更に、最後の設置工程IVは、図１０の如く、上記微調整工程IIIで位置決めされたプレキャスト版２の開口部７を通して主桁１との間にモルタル１８を充填し、スタッドジベル６を介在させて接合し、プレキャスト版２を設置固定して架設させるようにする。
【００３９】
次に、本発明のプレキャスト版の架設工法の手順を説明する。
【００４０】
先ず、新しい橋梁建設現場で主桁１の架設が行われると、該架設された主桁１の上面に、前記したようにソールスポンジ３の設置を行う。
【００４１】
次いで、トラッククレーン等により架設しようとするプレキャスト版２を上記主桁１上に荷揚げするが、予め主桁１の各上面に、滑り用受台４を配置して、該各主桁１上の滑り用受台４上に、プレキャスト版２を載置させ、プレキャスト版２の底面に２つの滑り用受台４を履かせた状態とする。
【００４２】
最初のプレキャスト版２を架設するときは、当該プレキャスト版２を架設すべき所定位置の近傍における各主桁１上面に、引込み機８を設置し、該主桁１上に設置された引込み機８から繰り出した索状物９を途中で交叉させたたすき掛けとして、各先端を上記プレキャスト版２の左右の固定点１０に結着させる。
【００４３】
上記の準備が完了すると、プレキャスト版２の引き込みを行う。この場合は、各引込み機８を運転して索状物９を巻き取ることによってプレキャスト版２を主桁１上を滑動させて引き込むようにする。この際、プレキャスト版２は、滑り用受台４上に載せられており、該滑り用受台４は、最下部のポリテトラフルオロエチレン（ＰＴＦＥ）板１１が主桁１の上面に直接載せられているので、主桁１上をポリテトラフルオロエチレン（ＰＴＦＥ）板１１が容易に滑動できて、小さい引込み動力でプレキャスト版２を簡単に引き込むことができる。又、上記滑り用受台４は、上部に高さ調整用部材１３としての硬質ゴム材を有してプレキャスト版２の底面とは滑りにくいようにしてあり、且つ全体の高さを高くして、プレキャスト版２が主桁１上面のねじ付きスタッド６ａやソールスポンジ３と干渉することがないようにしてあるので、プレキャスト版２は、滑り用受台４の高さ調整用部材１３の上面に接した状態でソールスポンジ３やねじ付きスタッド６ａと干渉することなく円滑に引込み機８の引込み力により所定位置まで引き込むことができる。
【００４４】
上記において、各滑り用受台４には、ポリテトラフルオロエチレン（ＰＴＦＥ）板１１の上にガイドバー１２がポリテトラフルオロエチレン（ＰＴＦＥ）板１１とは滑りにくいようにして配設されているので、滑り用受台４を介して主桁１上をプレキャスト版２が引き込まれるとき、各滑り用受台４のガイドバー１２が、主桁１上面の長手方向に所要間隔で固定してある上記ねじ付きスタッド６ａをガイドとして沿わされることから、複数台の引込み機８の同時運転による索状物９の巻き込み動作と相俟って、プレキャスト版２を正しい架設すべき姿勢に保ちながら引込むことができる。
【００４５】
上記のようにして最初のプレキャスト版２が引き込まれて架設すべき所定位置に設置されると、同様にして次のプレキャスト版２を滑り用受台４上に載せ、引込み機８により主桁１上を引き込むようにする。
【００４６】
このようにして順次プレキャスト版２を架設すべき所定位置近くまで引き込むと、後述する微調整工程IIIで、引き込まれたプレキャスト版２を設置位置に微調整した後、主桁１に接合させるようにするが、順次プレキャスト版２が架設された後は、主桁１上に設置した引込み機８を、主桁１上から取り外して、図４及び図５に示す如く、既設のプレキャスト版２の固定点１０に取り付けることにより、引込み機８によるプレキャスト版２の引き込み距離を短かくするようにしてもよい。
【００４７】
上記のプレキャスト版２の引き込みにおいて、本発明のプレキャスト版の架設方法では、種々の大きさのプレキャスト版を対象とするが、大型のプレキャスト版２として、たとえば、床版の全長１８．５ｍ、床版の平均厚さ０．２７ｍ、床版の奥行き２ｍ、床版の概算比重２５００ｋｇｆ／ｍ３のものを引き込むことを想定したとしても、ポリテトラフルオロエチレン（ＰＴＦＥ）板１１と主桁１の鋼材の摩擦係数が極めて小さいことから、たとえば、最大能力を２９４００Ｎとした引込み機８を用いるとすれば、主桁１とポリテトラフルオロエチレン（ＰＴＦＥ）板１１の摩擦係数を０．０４としても、引込み機８が１台でもプレキャスト版２を約３個分同時に引き込むことが可能であることが確認されている。
【００４８】
又、各滑り用受台４は、それぞれポリテトラフルオロエチレン（ＰＴＦＥ）板１１と高さ調整用部材１３を積層した受台部４ａを２個所ずつ設けていて、合計４つの受台部４ａを介してプレキャスト版２を支持するようになっているが、１つの受台部４ａにかかる支圧力（プレキャスト版に作用局部圧壊力）Ｎ（Ｎ／ｍｍ２）は、上記した大きさを有するプレキャスト版を対象とした場合でも、Ｎ＝７．８Ｎｍｍ２となり、想定されるコンクリートの許容支圧応力度より大幅に小さくなり、４点の受台部４ａを有する滑り用受台４でプレキャスト版２を支持した状態でプレキャスト版２の引き込みを行っても、プレキャスト版２を破損させるようなことはない。
【００４９】
上記プレキャスト版２の引き込み作業により、引込み側のプレキャスト版２が、架設すべき所定位置近くまで引込み機８により引き込まれて、図６に示すような状態に置かれると、プレキャスト版の微調整工程IIIによりプレキャスト版２を架設すべき位置へ移動させるようにする。
【００５０】
すなわち、プレキャスト版２が所定位置まで引き込まれると、該プレキャスト版２が載せてある滑り用受台４を撤去した後、プレキャスト版２を主桁１上に降ろし、以後、微調整を行うようにする。
【００５１】
上記プレキャスト版２の下面からの滑り用受台４の撤去作業は、図６に示す如くプレキャスト版２の前後左右両端部に上下方向（厚さ方向）に螺合して貫通してある高さ調整ボルト１５をレバー１５ａで回転させることにより、主桁１の上面を支点にしてプレキャスト版２を僅かに持ち上げ、その高さを確保させるようにする。この状態で上記プレキャスト版２と主桁１との間に介在させてあった滑り用受台４を撤去し、プレキャスト版２は高さ調整ボルト１５で高さ調整を行うようにする。
【００５２】
滑り用受台４が撤去されると、次に、高さ調整ボルト１５を、上記とは逆方向に回転させて高さ調整を行い、プレキャスト版２を図７に実線で示す状態から二点鎖線で示す状態まで下降させるようにする。
【００５３】
架設側のプレキャスト版２が図７の二点鎖線で示す位置まで下降させられると、該プレキャスト版２を一点鎖線で示すように図上右方向へ微調整し、既設床版２の端面に配置した止水材１７を圧縮させて挟持させるようにする。
【００５４】
上記プレキャスト版２の微調整は、滑り用受台４の撤去後に行うことから、主桁１上での引き込み微調整に大きな摩擦抵抗が作用することに鑑み、引込み機８の能力ではプレキャスト版２の微調整を行うことはできない。そのため、本発明のプレキャスト版の架設工法では、微調整を油圧ジャッキ１６を用いて行うようにする。この場合、プレキャスト版２を架設する位置の主桁１上には、ねじ付きスタッド６ａが予め突設されていて、プレキャスト版２に設けてある開口部７が、上記ねじ付きスタッド６ａの位置に対応するようにしてあるので、上記プレキャスト版２の微調整に際しては、図８に一例を示す如く、主桁１の幅方向に並べて突設してある複数のねじ付きスタッド６ａを反力受けとするようにして、剛性の高い板材１９を介して油圧ジャッキ１６を、プレキャスト版２の開口部７内壁面とねじ付きスタッド６ａとの間に介装させる。油圧ジャッキ１６の介装する位置は、プレキャスト版２を移動させようとする方向となる開口部７の内壁面とねじ付きスタッド６ａとの間となるようにする。
【００５５】
この状態で油圧ジャッキ１６を駆動させて伸長動作させ、ねじ付きスタッド６ａを支点としてプレキャスト版２全体を図上右方向へ移動させて、図７に示す如く架設側プレキャスト版２の端面を止水材１７に押し付けるようにする。
【００５６】
上記のようにして架設すべきプレキャスト版２の微調整が終ると、高さ調整ボルト１５を抜き取るが、切断するようにしてもよい。又、油圧ジャッキ１６を撤去した後、ねじ付きスタッド６ａに、図９に示すナット６ｂを螺着させた後、該ナット６ｂに上方から頭付きボルト６ｃを螺着させて、プレキャスト版２の各開口部７内にスタッドジベル６を立てる。しかる後、該開口部７を通してモルタル１８を充填し、プレキャスト版２と主桁１とを接合させて、プレキャスト版２を設置固定し、本発明のプレキャスト版の架設工法を完了させる。
【００５７】
上記プレキャスト版２と主桁１との接合時において、充填されたモルタル１８は、予め主桁１上に設置してあるソールスポンジ３の存在により漏れ出ることはない。
【００５８】
なお、本発明は上記実施の形態のみに限定されるものではなく、たとえば、プレキャスト版２を架設すべき位置近くまで引き込んで架設位置の微調整を行う前に滑り用受台４を撤去する場合を示したが、滑り用受台４は撤去することなくそのまま埋め殺しすることもあること、又、上記実施の形態では、プレキャスト版２を１枚ずつ引込み機８で主桁１上を架設位置まで引き込んだ後、微調整して所定位置に設置して行くようにする場合を示したが、前記したように、プレキャスト版２と主桁１との間に滑動体としてのポリテトラフルオロエチレン（ＰＴＦＥ）板１１を用いて主桁１上面を滑動できるようにした滑り用受台４を介在させて、引込み機８で引き込むとき、プレキャスト版２同士をループ筋や吊金具の固定点同士を固縛する等にて連結して、同時に複数のプレキャスト版を引き込むようにすることもできる。
【００５９】
又、本発明は、上記した実施の形態に限定されるものではなく、たとえば、プレキャスト版２をトラッククレーン等で主桁１上に荷揚げしてから、引込み機８により主桁１上を順次引き込むようにしてプレキャスト版２の架設を行うようにする場合を示したが、トラッククレーン等の設置場所があれば、引き込みをしている主桁１の途中の数個所からプレキャスト版２を荷揚げして引き込むようにしてもよく、このようにできれば、引込み量を少なくすることができて有利であること、又、主桁１は２本とした場合を示したが、３本とする等、２本以外としてもよく、主桁の本数に合わせてプレキャスト版２に開口部７を設けるようにすればよい。滑り用受台４としてガイドバー１２を有するものを示したが、ガイドバー１２を省略したものでもよい。又、滑り用受台４に滑動体としてのポリテトラフルオロエチレン（ＰＴＦＥ）板１１を用いるようにした場合を例示したが、摩擦係数の低いものであれば、いかなるものでも使用することができ、ポリテトラフルオロエチレン（ＰＴＦＥ）板と同様にプレート状として主桁１の上面を滑動させるようにすればよく、あるいは、プレート状の滑動体に代えて、コロや車輪の如き回転体を備えた台を滑動体として用いるようにしてもよい。引込み機８から繰り出したワイヤロープ等の索状物９をたすき掛けとする場合を示したが、平行に配置して引き込むようにしてもよい。更に、微調整する前に、滑り用受台４を撤去するとき、プレキャスト版２を高さ調整するため、高さ調整ボルト１５を用いた場合を示したが、豆ジャッキを用いて高さ調整を行うようにすることもできること、その他、本発明の要旨を逸脱しない範囲内で種々変更を加え得ることは勿論である。
【図面の簡単な説明】
【００６０】
【図１】本発明のプレキャスト版の架設工法の工程を示す図である。
【図２】本発明のプレキャスト版の架設工法の実施の一形態として最初にプレキャスト版を架設するときの状態の一例を示す概略平面図である。
【図３】図２と同様に最初のプレキャスト版を架設するときの状態を示すもので、（イ）は側面図、（ロ）は（イ）のＡ部の拡大図、（ハ）は（ロ）のＢ−Ｂ矢視平面図である。
【図４】架設し終えたプレキャスト版に当接させてプレキャスト版を架設するときの本発明のプレキャスト版の架設工法の実施の他の形態を示す概略側面図である。
【図５】図５は図４の概略平面図である。
【図６】本発明のプレキャスト版の架設工法における微調整を行うときの状態を示す概略側面図である。
【図７】図６の状態から滑り用受台を撤去してプレキャスト版を微調整する状態を示す図である。
【図８】プレキャスト版を微調整する状態を示す平面図である。
【図９】スタッドジベルをねじ付きスタッドとナットと頭付きボルトに分割してある状態を示す図である。
【図１０】プレキャスト版を主桁に接合するときの切断側面図である。
【図１１】従来のプレキャスト版架設機の一例を示す斜視図である。
【図１２】（イ）（ロ）（ハ）は図１１に示すプレキャスト版架設機でプレキャスト版を架設する手順を示す側面図である。
【図１３】従来のプレキャスト版架設機の他の例を示す斜視図である。
【符号の説明】
【００６１】
１  主桁
２  プレキャスト版
３  ソールスポンジ（漏れ防止材）
４  滑り用受台
６  スタッドジベル
６ａ  ねじ付きスタッド（スタッドジベルの一部）
７  開口部
８  引込み機
９  索状物
１０  固定点
１１  ポリテトラフルオロエチレン（ＰＴＦＥ）板（滑動体）
１２  ガイドバー
１３  高さ調整用部材
１５  高さ調整ボルト
１６  油圧ジャッキ
１８  モルタル
１９  板材
【図１】
2008240347.tif 000003
【図２】
2008240347.tif 000004
【図３】
2008240347.tif 000005
【図４】
2008240347.tif 000006
【図５】
2008240347.tif 000007
【図６】
2008240347.tif 000008
【図７】
2008240347.tif 000009
【図８】
2008240347.tif 000010
【図９】
2008240347.tif 000011
【図１０】
2008240347.tif 000012
【図１１】
2008240347.tif 000013
【図１２】
2008240347.tif 000014
【図１３】
2008240347.tif 000015